(57)【要約】【課題】店舗等において、文書ファイル等を記録メディアに書き込むサービスを提供することを可能にする。【解決手段】ファイル書込み処理を指示されると、多機能出力装置１３０は、文書ファイルをＵＩ装置１３３の画面に表示させ、ユーザに所望の文書ファイルであるか否かの確認を求める。次に、書き込み料金の支払いを要求し、料金の支払いが完了したことを確認すると、メディアリーダ／ライタ１３４を制御して、文書ファイルを記録メディアに書き込む。次に、ＵＩ装置１３３の画面に記録メディアに書き込まれている文書ファイルを表示させ、ユーザに正しく書き込まれているか否かの確認を求める。ユーザが正しく書き込まれていないと通知してきた場合は、書き込み元の文書ファイルと記録メディアに書き込まれている文書ファイルとを比較し、両方の電子データが一致しない場合は、記録メディアに書き込まれている文書ファイルを消去し、料金を返却する。【選択図】図２
2008117348.tif 000002
【特許請求の範囲】
【請求項１】
ユーザからの指示を入力するための入力手段と、
電子データの表示を行う表示手段と、
可搬記録媒体に対する読み書きを行う媒体読み書き手段と、
サービスに対する課金を行う課金手段と、
前記課金手段に必要な料金が支払われたことを確認した後に、前記媒体読み書き手段を制御して前記入力手段により指定された電子データを前記可搬記録媒体に書き込むよう制御する書き込み制御手段と、
前記可搬記録媒体への電子データの書込みが終了した後、可搬記録媒体に書き込まれている電子データを前記表示手段に表示させるよう制御する表示制御手段と、
前記入力手段を介して可搬記録媒体に電子データが正しく書き込まれていない旨が通知された場合、前記媒体読み書き手段を制御して、可搬記録媒体に書き込まれている電子データを消去する消去手段と、
可搬記録媒体に書き込まれていた電子データが消去された後に、前記課金手段に料金を返却させる返却手段と、
を備えた電子データ書込みサービス提供装置。
【請求項２】
前記返却手段は、電子データの消去前に可搬記録媒体が前記媒体読み書き手段から抜き取られた場合、前記課金手段に料金を返却させない請求項１に記載の電子データ書込みサービス提供装置。
【請求項３】
前記消去手段は、可搬記録媒体に書き込まれている電子データを消去する前に、前記入力手段により指定された電子データと、可搬記録媒体に書き込まれている電子データとを比較し、両方の電子データが一致しない場合に可搬記録媒体に書き込まれている電子データを消去し、両方の電子データが一致した場合は、その旨をユーザに通知する請求項１又は２に記載の電子データ書込みサービス提供装置。
【請求項４】
前記消去手段は、可搬記録媒体に書き込まれている電子データと前記入力手段により指定された電子データとが一致する旨をユーザに対して通知した後に、前記入力手段を介して可搬記録媒体に電子データが正しく書き込まれていない旨が再度通知された場合、前記可搬記録媒体に書き込まれている電子データを消去する請求項３に記載の電子データ書込みサービス提供装置。
【請求項５】
前記表示制御手段は、前記入力手段により指定された電子データを可搬記録媒体に書き込む前に、当該電子データを前記表示手段に表示させるよう制御する請求項１から４のいずれか１項に記載の電子データ書込みサービス提供装置。
【請求項６】
前記入力手段により指定された電子データを、ネットワークを介して接続されたサーバから取得する請求項１から５のいずれか１項に記載の電子データ書込みサービス提供装置。
【請求項７】
原稿画像の読み取りを行うスキャナ部を更に備え、
前記入力手段により指定された電子データが、前記スキャナ部によって読み込まれた画像データである請求項１から５のいずれか１項に記載の電子データ書込みサービス提供装置。
【請求項８】
前記入力手段により指定された電子データが、前記媒体読み書き手段によって可搬記録媒体から読み込まれたデータである請求項１から５のいずれか１項に記載の電子データ書込みサービス提供装置。
【請求項９】
可搬記録媒体に電子データを書き込むサービスに対する課金を行う課金方法であって、
課金手段に必要な料金が支払われたことを確認した後に、指定された電子データを可搬記録媒体に書き込み、
前記可搬記録媒体への電子データの書込みが終了した後、可搬記録媒体に書き込まれている電子データをユーザに対して表示させ、
可搬記録媒体に電子データが正しく書き込まれていない旨がユーザから通知された場合、可搬記録媒体に書き込まれている電子データを消去し、
可搬記録媒体に書き込まれていた電子データが消去された後に、課金手段に対して料金を返却させる課金方法。
【請求項１０】
可搬記録媒体に書き込まれている電子データを消去する前に、指定された電子データと可搬記録媒体に書き込まれている電子データとを比較し、両方の電子データが一致しない場合に可搬記録媒体に書き込まれている電子データを消去し、両方の電子データが一致した場合は、その旨をユーザに通知する請求項９に記載の課金方法。
【請求項１１】
可搬記録媒体に書き込まれている電子データと指定された電子データとが一致する旨をユーザに対して通知した後に、可搬記録媒体に電子データが正しく書き込まれていない旨が再度ユーザから通知された場合、前記可搬記録媒体に書き込まれている電子データを消去する請求項１０に記載の課金方法。
【請求項１２】
可搬記録媒体に電子データを書き込むサービスに対する課金を行う課金方法をコンピュータに実行させるためのプログラムであって、
課金手段に必要な料金が支払われたことを確認した後に、指定された電子データを可搬記録媒体に書き込みステップと、
前記可搬記録媒体への電子データの書込みが終了した後、可搬記録媒体に書き込まれている電子データをユーザに対して表示させるステップと、
可搬記録媒体に電子データが正しく書き込まれていない旨がユーザから通知された場合、可搬記録媒体に書き込まれている電子データを消去するステップと、
可搬記録媒体に書き込まれていた電子データが消去された後に、課金手段に対して料金を返却させるステップと、
をコンピュータに実行させるためのプログラム。
【請求項１３】
可搬記録媒体に書き込まれている電子データを消去する前に、指定された電子データと可搬記録媒体に書き込まれている電子データとを比較し、両方の電子データが一致しない場合に可搬記録媒体に書き込まれている電子データを消去し、両方の電子データが一致した場合は、その旨をユーザに通知するステップをさらにコンピュータに実行させる請求項１２に記載のプログラム。
【請求項１４】
可搬記録媒体に書き込まれている電子データと指定された電子データとが一致する旨をユーザに対して通知した後に、可搬記録媒体に電子データが正しく書き込まれていない旨が再度ユーザから通知された場合、前記可搬記録媒体に書き込まれている電子データを消去するステップをさらにコンピュータに実行させる請求項１３に記載のプログラム。
【発明の詳細な説明】
【技術分野】
【０００１】
本発明は、店舗等において、小型メモリカードやＵＳＢメモリ等の可搬記録媒体に、文書ファイルその他の電子データを書き込むサービスを提供する電子データ書込みサービス提供装置に関し、特に、可搬記録媒体に電子データを書き込むサービスに対する課金を行う課金方法に関する。
【背景技術】
【０００２】
現在、外出先等でのプリントニーズに応えるため、コンビニエンス・ストアなどの店舗等に設置されている多機能出力装置でプリント出力が行えるネットプリントサービスが存在する（例えば、特許文献１参照）。
【０００３】
この特許文献１には、携帯端末などから利用者が文書出力の予約を行うと、要求された文書に対して付与された文書コードが利用者に通知され、出力先の店舗において、利用者が印刷装置の操作部を操作して、文書コード等を入力すると、当該文書コード等に対応する文書データが、文書提供管理サーバから印刷装置に送信されて、印刷装置で印刷される印刷文書提供システムが開示されている。
【０００４】
通常、このようなネットプリントサービスでは、利用者は、まず、自分のパーソナルコンピュータ（ＰＣ）等からサービスを提供しているサーバ（ＮＰＳ（Network Print System）サーバ）にアクセスして、出力したいドキュメント（文書ファイル等）をＮＰＳサーバに登録（アップロード）する。ＮＰＳサーバへのドキュメントの登録が完了すると、ＮＰＳサーバによって、登録したドキュメントに対応した予約コードが発行され、ＰＣ等の画面上の表示や、電子メール等で利用者に通知される。そして、利用者が、外出先の店舗等に設置された多機能出力装置の操作画面で、通知された予約コードを入力すると、ＮＰＳサーバに登録されている対応ドキュメントが、多機能出力装置で出力可能なデータに変換されて、予約コードを入力した多機能出力装置から出力される。
【０００５】
しかしながら、このようなネットプリントサービスでは、プリント出力が得られるのみであるので、例えば、修正等のため、元の文書ファイル等が必要になった場合でも、元の文書ファイル等については受け取ることができない。
【０００６】
一方、コンビニンス・ストアなどの店舗等に設置される最新の多機能出力装置では、デジタルカメラ等で撮影された写真をプリントする写真プリントサービスも提供されており、当該サービスを提供する多機能出力装置には、当該サービス用に各種小型メモリカード等から写真データを読み込むためのメディアリーダ／ライタが装備されている。
【０００７】
そのため、このメディアリーダ／ライタを利用して、記録メディアに対して電子データを書き込むファイル書き込みサービスを実現することが可能となる。しかし、このようなファイル書き込むサービスを実現した場合、ＵＳＢメモリ等のメディアにデータを書き込み中に、ユーザが誤ってメディアをメディアリーダ／ライタから抜いてしまうような場合も考えられる。このような場合、ユーザにとっては、記録メディアに書き込まれたデータが正常ではないのに課金されてしまうことになる。
【０００８】
このような弊害を防ぐためには、記録メディアに書き込んだデータが正常かどうかをユーザに確認してもらい、正常の場合にのみ課金するような課金方法が考えられる。しかし、このような課金方法を用いた場合、悪意のあるユーザは、書き込んだデータが正常であるのに異常であるとして、メディアに書き込まれたデータが消去される前にメディアリーダ／ライタを強制的に抜き取って電子データを不正に取得することが可能となってしまう。
【特許文献１】特開２００２−１７５２４１号公報
【発明の開示】
【発明が解決しようとする課題】
【０００９】
上記で説明した従来技術では、データが正常でないのに課金されてしまう場合が発生してしまったり、悪意のあるユーザによってデータが不正に取得されてしまう可能性があるという問題があった。
【００１０】
本発明の目的は、悪意のあるユーザによる電子データの不正取得を防止するとともに、データが正常でないのにユーザに課金を行ってしまう弊害を防止することが可能な電子データ書込サービス提供装置および課金方法を提供することである。
【課題を解決するための手段】
【００１１】
本発明に係る電子データ書込みサービス提供装置は、ユーザからの指示を入力するための入力手段と、
電子データの表示を行う表示手段と、
可搬記録媒体に対する読み書きを行う媒体読み書き手段と、
サービスに対する課金を行う課金手段と、
前記課金手段に必要な料金が支払われたことを確認した後に、前記媒体読み書き手段を制御して前記入力手段により指定された電子データを前記可搬記録媒体に書き込むよう制御する書き込み制御手段と、
前記可搬記録媒体への電子データの書込みが終了した後、可搬記録媒体に書き込まれている電子データを前記表示手段に表示させるよう制御する表示制御手段と、
前記入力手段を介して可搬記録媒体に電子データが正しく書き込まれていない旨が通知された場合、前記媒体読み書き手段を制御して、可搬記録媒体に書き込まれている電子データを消去する消去手段と、
可搬記録媒体に書き込まれていた電子データが消去された後に、前記課金手段に料金を返却させる返却手段とを備えている。
【００１２】
好ましくは、前記返却手段は、電子データの消去前に可搬記録媒体が前記媒体読み書き手段から抜き取られた場合、前記課金手段に料金を返却させない。
【００１３】
また、好ましくは、前記消去手段は、可搬記録媒体に書き込まれている電子データを消去する前に、前記入力手段により指定された電子データと、可搬記録媒体に書き込まれている電子データとを比較し、両方の電子データが一致しない場合に可搬記録媒体に書き込まれている電子データを消去し、両方の電子データが一致した場合は、その旨をユーザに通知する。
【００１４】
また、好ましくは、前記消去手段は、可搬記録媒体に書き込まれている電子データと前記入力手段により指定された電子データとが一致する旨をユーザに対して通知した後に、前記入力手段を介して可搬記録媒体に電子データが正しく書き込まれていない旨が再度通知された場合、前記可搬記録媒体に書き込まれている電子データを消去する。
【００１５】
また、好ましくは、前記表示制御手段は、前記入力手段により指定された電子データを可搬記録媒体に書き込む前に、当該電子データを前記表示手段に表示させるよう制御する。
【００１６】
また、好ましくは、前記入力手段により指定された電子データを、ネットワークを介して接続されたサーバから取得する。
【００１７】
また、好ましくは、原稿画像の読み取りを行うスキャナ部を更に備え、
前記入力手段により指定された電子データが、前記スキャナ部によって読み込まれた画像データである。
【００１８】
また、好ましくは、前記入力手段により指定された電子データが、前記媒体読み書き手段によって可搬記録媒体から読み込まれたデータである。
【００１９】
[課金方法]
また、本発明の課金方法は、可搬記録媒体に電子データを書き込むサービスに対する課金を行う課金方法であって、
課金手段に必要な料金が支払われたことを確認した後に、指定された電子データを可搬記録媒体に書き込み、
前記可搬記録媒体への電子データの書込みが終了した後、可搬記録媒体に書き込まれている電子データをユーザに対して表示させ、
可搬記録媒体に電子データが正しく書き込まれていない旨がユーザから通知された場合、可搬記録媒体に書き込まれている電子データを消去し、
可搬記録媒体に書き込まれていた電子データが消去された後に、課金手段に対して料金を返却させる。
【００２０】
[プログラム]
また、本発明のプログラムは、可搬記録媒体に電子データを書き込むサービスに対する課金を行う課金方法をコンピュータに実行させるためのプログラムであって、
課金手段に必要な料金が支払われたことを確認した後に、指定された電子データを可搬記録媒体に書き込みステップと、
前記可搬記録媒体への電子データの書込みが終了した後、可搬記録媒体に書き込まれている電子データをユーザに対して表示させるステップと、
可搬記録媒体に電子データが正しく書き込まれていない旨がユーザから通知された場合、可搬記録媒体に書き込まれている電子データを消去するステップと、
可搬記録媒体に書き込まれていた電子データが消去された後に、課金手段に対して料金を返却させるステップと、
をコンピュータに実行させる。
【発明の効果】
【００２１】
本発明によれば、悪意のあるユーザによる電子データの不正取得を防止しつつ、データが正常でないのにユーザに課金を行ってしまう弊害を防止することが可能になるという効果を得ることができる。
【発明を実施するための最良の形態】
【００２２】
以下、本発明の実施の形態について、図面を参照しつつ詳細に説明する。図１は、本発明が適用されるネットワーク・プリント・システムの構成を示す図である。
【００２３】
図１に示すように、本発明が適用されるネットワーク・プリント・システム１００は、ユーザＰＣ１１０と、ＮＰＳサーバ１２０と、多機能出力装置１３０とを備える。ユーザＰＣ１１０とＮＰＳサーバ１２０とは、インターネット１４０を介して接続されており、ＮＰＳサーバ１２０と多機能出力装置１３０とは、コンビニエンス・ストアの内部ネットワークであるコンビニネット１５０を介して接続されている。
【００２４】
ユーザＰＣ１１０は、ユーザが外出先等で出力したい文書ファイルを、ＮＰＳサーバ１２０に登録等するためのものであって、例えば、通常のパーソナルコンピュータ（ＰＣ）その他のコンピュータで構成される。より具体的には、ユーザＰＣ１１０は、ＣＰＵ、メインメモリ、ハードディスク装置、光ディスクドライブ、ネットワークインタフェース部、表示装置、入力装置等を備える。表示装置は、例えば、ＣＲＴ表示装置やＬＣＤ表示装置等によって構成され、入力装置は、例えば、キーボードやマウスその他のポインティングデバイス等によって構成される。
【００２５】
ＮＰＳサーバ１２０は、ネットプリントサービスを提供するためのサーバであって、ユーザＰＣ１１０からインターネット１４０を介して送られてくる文書ファイルを保管しておき、多機能出力装置１３０からの出力要求に応じて、保管しておいた文書ファイルをコンビニネット１５０を介して多機能出力装置１３０に送信するものである。ＮＰＳサーバ１２０は、例えば、ユーザＰＣ１１０と同様に、通常のＰＣその他のコンピュータで構成される。
【００２６】
多機能出力装置１３０は、例えば、コンビニエンス・ストア等の各店舗に置かれて利用されるものであって、従来の多機能出力装置と同様に、コピーサービス、ファクシミリサービス、ネットプリントサービス等を提供可能なものである。例えば、多機能出力装置１３０は、ユーザからの出力指示に応じて、ＮＰＳサーバ１２０から、ユーザが登録した文書ファイルをダウンロードして、プリント出力する。更に、多機能出力装置１３０は、新規なサービスとして、電子データ書込みサービスを提供することができるものである。
【００２７】
電子データ書込みサービスとは、（ａ）ネットプリントサービスによるプリント出力と同時に、プリントした文書ファイルを、多機能出力装置１３０が備えるメディアリーダ／ライタによって、ユーザが所持する記録メディア（可搬記録媒体）に書き込んだり、（ｂ）ユーザが所持する紙原稿から多機能出力装置１３０が備えるスキャナで読み取った画像データを、多機能出力装置１３０が備えるメディアリーダ／ライタによって、ユーザが所持する記録メディアに書き込んだり、（ｃ）ユーザが所持する記録メディアに格納されている写真データ等を、ユーザが所持する別の記録メディアにコピーしたりするサービスである。
【００２８】
図２は、このような電子データ書込みサービスを提供可能な多機能出力装置１３０の構成を示す図である。
【００２９】
図２に示すように、多機能出力装置１３０は、画像入出力装置１３１と、制御装置１３２と、ユーザインタフェース（ＵＩ）装置１３３と、メディアリーダ／ライタ１３４と、課金装置１３５とを備える。
【００３０】
画像入出力装置１３１は、文書ファイルのプリント出力や、原稿画像のスキャン入力を行うものであって、例えば、通常のディジタル複合機によって構成される。より具体的には、画像入出力装置１３１は、ＣＰＵ、メモリ、プリントエンジン、スキャナ等を備える。
【００３１】
制御装置１３２は、多機能出力装置１３０の各種制御を行うものであり、例えば、ユーザＰＣ１１０と同様に、通常のＰＣその他のコンピュータで構成される。制御装置１３２は、多機能出力装置１３０を構成する他の構成要素１３１，１３３〜１３５と、適当なインタフェースを介して接続されている。また、制御装置１３２は、コンビニネット１５０にも接続されている。
【００３２】
具体的には、制御装置１３２は、課金装置１３５に必要な料金が支払われたことを確認した後に、メディアリーダ／ライタ１３４を制御してＵＩ装置１３３により指定された電子データを各種記録メディアに書き込むよう制御する書き込み制御手段として機能する。また、制御装置１３２は、各種記録メディアへの電子データの書込みが終了した後、記録メディアに書き込まれている電子データをＵＩ装置１３３に表示させるよう制御する表示制御手段として機能する。さらに、制御装置１３２は、ＵＩ装置１３３を介して記録メディアに電子データが正しく書き込まれていない旨が通知された場合、メディアリーダ／ライタ１３４を制御して、記録メディアに書き込まれている電子データを消去する消去手段として機能する。さらに、制御装置１３２は、各種記録メディアに書き込まれていた電子データが消去された後に、課金装置１３５に料金を返却させる返却手段として機能する。
【００３３】
ユーザインタフェース（ＵＩ）装置１３３は、ユーザからの指示を入力したり、ユーザに対して各種情報（各種メニューや各種メッセージ等）を提示したりするものであり、例えば、入力装置及び表示装置としてのタッチパネル付き液晶ディスプレイによって構成される。
【００３４】
メディアリーダ／ライタ１３４は、各種記録メディアに対して、文書ファイルその他の電子データの読み出しや書き込みを行う媒体読み書き手段として機能するものである。メディアリーダ／ライタ１３４は、例えば、各種小型メモリカードを挿入するためのスロット（差し込み口）や、ＵＳＢメモリを挿入するためのＵＳＢコネクタ等を備えている。また、メディアリーダ／ライタ１３４は、各種記録メディアの挿抜状態を検知することができる。
【００３５】
課金装置１３５は、多機能出力装置１３０が提供するサービスに対する課金を行うものであり、硬貨や紙幣を投入するための投入口や、硬貨や紙幣を返却するための返却口や、投入された硬貨や紙幣の種類を認識して、投入された金額を計数する金額計数部等を備える。
【００３６】
次に、以上のような構成を有する多機能出力装置１３０の動作について説明する。
【００３７】
まず、通常のネットプリントサービスと同様に、ユーザが登録した文書ファイルのプリント出力を行った後に、プリント出力を行った元の文書ファイル自体を記録メディアに書き込む場合の動作について説明する。
【００３８】
図３及び図４は、ユーザが登録した文書ファイルのプリント出力を行った後に、プリント出力を行った元の文書ファイルを記録メディアに書き込む場合の処理の流れを示すフローチャートである。
【００３９】
図３に示すように、まず、ユーザは、ユーザＰＣ１１０からＮＰＳサーバ１２０へアクセスし、外出先等でプリントしたい文書ファイルをＮＰＳサーバ１２０に対してアップロードして、プリント予約（文書ファイル登録）を行う（Ｓ３０１）。文書ファイルのアップロードが終了すると、ＮＰＳサーバ１２０は、アップロードされた文書ファイルを、ユーザＰＣ１１０の表示装置に表示させて、正常にアップロードされたか否かを確認させる。
【００４０】
文書ファイルの登録を受け付けると、ＮＰＳサーバ１２０は、当該文書ファイルに対応する予約ＩＤ及びパスワードを発行して、ユーザＰＣ１１０に対して送信する（Ｓ３０２）。ＮＰＳサーバ１２０は、登録された文書ファイルを、予約ＩＤ及びパスワードと対応付けて保管する。
【００４１】
次に、ユーザは、外出先等において、登録した文書のプリント出力を行うため、コンビニエンス・ストアの店舗等に出向く。そして、当該店舗等に設置された多機能出力装置１３０のＵＩ装置１３３を操作して、ネットプリントサービスを選択し、ＵＩ装置１３３に表示される画面に従って、予約ＩＤ及びパスワード等を入力して、登録文書ファイルのプリント出力を指示する（Ｓ３０３）。
【００４２】
ユーザからプリント出力を指示された多機能出力装置１３０（制御装置１３２）は、入力された予約ＩＤ及びパスワードをＮＰＳサーバ１２０に送って、当該予約ＩＤ及びパスワードに対応する文書ファイルをＮＰＳサーバ１２０からダウンロードし、画像入出力装置１３１でプリント出力する（Ｓ３０４）。
【００４３】
続けて、プリント出力した元の文書ファイル自体についても入手したい場合は、ユーザは、多機能出力装置１３０のＵＩ装置１３３を操作して、ファイル書込み処理を指示する（Ｓ３０５）。
【００４４】
ユーザからファイル書込み処理を指示された多機能出力装置１３０（制御装置１３２）は、ＮＰＳサーバ１２０上のプリント出力した元の文書ファイルを、ＵＩ装置１３３の画面に適宜表示させ、ユーザに所望の文書ファイルであるか否かの確認を求める（Ｓ３０６）。
【００４５】
ユーザが所望の文書ファイルであることを確認すると、次に、多機能出力装置１３０（制御装置１３２）は、ＵＩ装置１３３の画面に、文書ファイルを書き込む記録メディアをメディアリーダ／ライタ１３４に挿入するよう指示するメッセージを表示させて、ユーザに記録メディアの挿入を要求し、更に、課金方法についての説明を表示させて、書き込み料金の支払いを要求する（Ｓ３０７）。なお、課金方法についての説明の画面表示は、当該時点に限らず、必要な時点で適宜行うようにして、ユーザによく理解してもらうようにする。
【００４６】
課金装置１３５に必要な分の硬貨等が投入されて料金の支払いが完了したことを確認すると、多機能出力装置１３０（制御装置１３２）は、メディアリーダ／ライタ１３４を制御して、文書ファイルを記録メディアに書き込む（Ｓ３０８）。なお、書込みが終了した時点で、正しく書込みが行われたか否かをチェックするため、書き込み元の文書ファイルと、記録メディアに書き込まれている文書ファイルとを比較するようにしてもよい。
【００４７】
次に、図４に示すように、多機能出力装置１３０（制御装置１３２）は、ＵＩ装置１３３の画面に、記録メディアに書き込まれている文書ファイルを適宜表示させ（Ｓ３０９）、ユーザに、正しく書き込まれているか否かの確認を求める（Ｓ３１０）。
【００４８】
そして、ユーザが正しく書き込まれていることを確認したら（Ｓ３１０：Ｙｅｓ）、処理を終了する。
【００４９】
一方、ユーザが正しく書き込まれていないと通知してきた場合（Ｓ３１０：Ｎｏ）、多機能出力装置１３０（制御装置１３２）は、書き込み元の文書ファイルと、記録メディアに書き込まれている文書ファイルとのデータを比較し（Ｓ３１１）、正しく書き込まれているか否か（両方の電子データが一致するか否か）をチェックする（Ｓ３１２）。なお、書込み終了直後に、正しく書込みが行われたか否かのチェックを行っている場合は、当該時点で改めてチェックをする必要はなく、書込み直後の自動チェック結果を利用して、以下の処理を行えばよい。
【００５０】
チェックの結果、正しく書き込まれていない場合、すなわち、書き込み元の文書ファイルと、記録メディアに書き込まれている文書ファイルとが一致しない場合は（Ｓ３１２：Ｎｏ）、記録メディアに書き込まれている文書ファイルを消去し（Ｓ３１５）、その後、料金を返却して（Ｓ３１６）、処理を終了する。なお、記録メディアに書き込まれている文書ファイルを消去する前に、ユーザが記録メディアをメディアリーダ／ライタ１３４から抜き取った場合は、その旨をＵＩ装置１３３の画面に表示して、料金は返却しない。また、ステップＳ３１５で文書ファイルを消去する前に、ファイル消去を行って料金の返却をするか否かについて、ユーザに問い合わせるようにしてもよい。
【００５１】
一方、チェックの結果、正しく書き込まれていた場合、すなわち、書き込み元の文書ファイルと、記録メディアに書き込まれている文書ファイルとが一致した場合は（Ｓ３１２：Ｙｅｓ）、その旨をＵＩ装置１３３の画面に表示させ（Ｓ３１３）、再度、ユーザに確認を求める（Ｓ３１４）。当該確認の求めに対して、ユーザが問題ないことを確認した場合は（Ｓ３１４：Ｙｅｓ）、処理を終了し、ユーザが正しく書き込まれていないと再度通知してきた場合は（Ｓ３１４：Ｎｏ）、記録メディアに書き込まれている文書ファイルを消去し（Ｓ３１５）、料金を返却して（Ｓ３１６）、処理を終了する。なお、記録メディアに書き込まれている文書ファイルを消去する前に、ユーザが記録メディアをメディアリーダ／ライタ１３４から抜き取った場合は、その旨をＵＩ装置１３３の画面に表示して、料金は返却しない。
【００５２】
以上のような動作を行うことにより、文書ファイルが記録メディアに正しく書き込まれていなかった場合にまで、ユーザが課金されることを防止することが可能となる。更に、ユーザが正しく書き込まれていないと通知してきた場合には、記録メディアに書き込んでいる文書ファイルを消去した後に、料金を返却するようにし、文書ファイルを消去する前に記録メディアを抜き取った場合は、料金を返却しないようにしているので、実際は正しく書き込まれているのに、ユーザが故意に正しく書き込まれていないと通知して、文書ファイルが消去される前に記録メディアを抜き取ろうとした場合であっても、記録メディアに書き込まれた文書ファイルがただ取りされることを防止することができる。
【００５３】
次に、多機能出力装置１３０が備えるスキャナで読み取った画像データを記録メディアに書き込む場合の動作について説明する。
【００５４】
図５及び図６は、多機能出力装置１３０が備えるスキャナで読み取った画像データを記録メディアに書き込む場合の処理の流れを示すフローチャートである。
【００５５】
図５に示すように、まず、ユーザは、多機能出力装置１３０のＵＩ装置１３３を操作して、画像入出力装置１３１のスキャナで読み込んだ画像データを記録メディアに書き込むサービスを選択する（Ｓ５０１）。
【００５６】
次に、ユーザは、ＵＩ装置１３３に表示される画面に従って、画像入出力装置１３１のスキャナに読み込む原稿をセットし、ＵＩ装置１３３を操作して、画像読み取りを指示する（Ｓ５０２）。このとき、ユーザは、必要に応じて、読み取り解像度等を設定する。
【００５７】
ユーザから画像読み取りを指示された多機能出力装置１３０（制御装置１３２）は、画像入出力装置１３１のスキャナによって、原稿画像の読み取りを行い（Ｓ５０３）、ＵＩ装置１３３の画面に、読み込んだ画像データを適宜表示させ（Ｓ５０４）、問題がないかユーザに確認を求める（Ｓ５０５）。ユーザは、ＵＩ装置１３３の画面に表示された読み取り結果を見て、必要であれば（Ｓ５０５：Ｎｏ）、読み取り解像度等の設定を変更して、再度の読み取りを指示する（Ｓ５０２）。
【００５８】
そして、ユーザが、ＵＩ装置１３３の画面に表示された読み取り結果に問題がないことを確認すると（Ｓ５０５：Ｙｅｓ）、次に、多機能出力装置１３０（制御装置１３２）は、ＵＩ装置１３３の画面に、読み込んだ画像データを書き込む記録メディアをメディアリーダ／ライタ１３４に挿入するよう指示するメッセージを表示させて、ユーザに記録メディアの挿入を要求し、更に、課金方法についての説明を表示させて、書き込み料金の支払いを要求する（Ｓ５０６）。
【００５９】
課金装置１３５に必要な分の硬貨等が投入されて料金の支払いが完了したことを確認すると、多機能出力装置１３０（制御装置１３２）は、メディアリーダ／ライタ１３４を制御して、スキャナで読み込んで適宜記憶している画像データを記録メディアに書き込む（Ｓ５０７）。なお、書込みが終了した時点で、記録メディアに対して正しく書込みが行われたか否かをチェックするため、書き込み元の画像データと、記録メディアに書き込まれている画像データとを比較するようにしてもよい。
【００６０】
次に、図６に示すように、多機能出力装置１３０（制御装置１３２）は、ＵＩ装置１３３の画面に、記録メディアに書き込まれている画像データを適宜表示させ（Ｓ５０８）、ユーザに、正しく書き込まれているか否かの確認を求める（Ｓ５０９）。
【００６１】
そして、ユーザが正しく書き込まれていることを確認したら（Ｓ５０９：Ｙｅｓ）、処理を終了する。
【００６２】
一方、ユーザが正しく書き込まれていないと通知してきた場合（Ｓ５０９：Ｎｏ）、多機能出力装置１３０（制御装置１３２）は、スキャナで読み込んだ書き込み元の画像データと、記録メディアに書き込まれている画像データとを比較し（Ｓ５１０）、正しく書き込まれているか否か（両方の電子データが一致するか否か）をチェックする（Ｓ５１１）。なお、書き込み終了直後に、正しく書込みが行われたか否かのチェックを行っている場合は、当該時点で改めてチェックをする必要はなく、書込み直後の自動チェック結果を利用して、以下の処理を行えばよい。
【００６３】
チェックの結果、正しく書き込まれていない場合、すなわち、書き込み元の画像データと、記録メディアに書き込まれている画像データとが一致しない場合は（Ｓ５１１：Ｎｏ）、記録メディアに書き込まれている画像データを消去し（Ｓ５１４）、その後、料金を返却して（Ｓ５１５）、処理を終了する。なお、記録メディアに書き込まれている画像データを消去する前に、ユーザが記録メディアをメディアリーダ／ライタ１３４から抜き取った場合は、その旨をＵＩ装置１３３の画面に表示して、料金は返却しない。また、ステップＳ５１４において画像データを消去する前に、データ消去を行って料金の返却をするか否かについて、ユーザに問い合わせるようにしてもよい。
【００６４】
一方、チェックの結果、正しく書き込まれていた場合、すなわち、書き込み元の画像データと、記録メディアに書き込まれている画像データとが一致した場合は（Ｓ５１１：Ｙｅｓ）、その旨をＵＩ装置１３３の画面に表示させて（Ｓ５１２）、再度、ユーザに確認を求める（Ｓ５１３）。当該確認の求めに対して、ユーザが問題ないことを確認した場合は（Ｓ５１３：Ｙｅｓ）、処理を終了し、ユーザが正しく書き込まれていないと再度通知してきた場合は（Ｓ５１３：Ｎｏ）、記録メディアに書き込まれている画像データを消去し（Ｓ５１４）、料金を返却して（Ｓ５１５）、処理を終了する。なお、記録メディアに書き込まれている画像データを消去する前に、ユーザが記録メディアをメディアリーダ／ライタ１３４から抜き取った場合は、その旨をＵＩ装置１３３の画面に表示して、料金は返却しない。
【００６５】
以上のような動作を行うことにより、画像データが記録メディアに正しく書き込まれていなかった場合にまで、ユーザが課金されることを防止することが可能となる。更に、実際は正しく書き込まれているのに、ユーザが故意に正しく書き込まれていないと通知して、画像データが消去される前に記録メディアを抜き取ろうとした場合であっても、記録メディアに書き込んだ画像データをただ取りされることを防止することができる。
【００６６】
なお、拡張サービスとして、スキャナで読み込んだ画像データを記録メディアに書き込むのでなく、ＮＰＳサーバ１２０等のサーバに送信して保管すると共に、当該画像データに対応するＩＤ／パスワードを発行してユーザに通知し、ユーザが、ユーザＰＣ１１０等からＮＰＳサーバ１２０等のサーバにアクセスし、通知されたＩＤ／パスワードを入力することで、スキャナで読み込んだ画像データをユーザＰＣ１１０等にダウンロードできるようにすることも考えられる。
【００６７】
次に、２つの記録メディアの間で、一方の記録メディアから他方の記録メディアへデータ（写真データ等）をコピーする場合の動作について説明する。
【００６８】
図７及び図８は、２つの記録メディアの間で、一方の記録メディアから他方の記録メディアへデータをコピーする場合の処理の流れを示すフローチャートである。
【００６９】
図７に示すように、まず、ユーザは、多機能出力装置１３０のＵＩ装置１３３を操作して、記録メディアのコピーサービスを選択する（Ｓ７０１）。
【００７０】
次に、ユーザは、ＵＩ装置１３３に表示される画面に従って、メディアリーダ／ライタ１３４にコピー元となる記録メディアを挿入し、ＵＩ装置１３３を操作して、データの読み取りを指示する（Ｓ７０２）。
【００７１】
ユーザからデータ読み取りを指示された多機能出力装置１３０（制御装置１３２）は、メディアリーダ／ライタ１３４を制御して、記録メディアに記録されているデータの読み取りを行い（Ｓ７０３）、ＵＩ装置１３３の画面に、読み込んだデータ（例えば、写真データ）を適宜表示させ、問題がないかユーザに確認を求める（Ｓ７０４）。
【００７２】
ユーザが、ＵＩ装置１３３の画面に表示されたデータに問題がないことを確認すると、次に、多機能出力装置１３０（制御装置１３２）は、ＵＩ装置１３３の画面に、コピー元となる記録メディアを抜き取って、コピー先となる記録メディアを挿入するよう指示するメッセージを表示させて、ユーザにコピー先となる記録メディアの挿入を要求し、更に、課金方法についての説明を表示させて、書き込み料金の支払いを要求する（Ｓ７０５）。
【００７３】
課金装置１３５に必要な分の硬貨等が投入されて料金の支払いが完了したことを確認すると、多機能出力装置１３０（制御装置１３２）は、メディアリーダ／ライタ１３４を制御して、コピー元の記録メディアから読み込んで適宜記憶しているデータを、コピー先となる記録メディアに書き込む（Ｓ７０６）。なお、書込みが終了した時点で、正しく書込みが行われたか否かをチェックするため、コピー元のデータと、記録メディアに書き込まれているデータとを比較するようにしてもよい。例えば、表示できないデータの場合、多機能出力装置１３０（制御装置１３２）は、当該時点で、コピー元のデータと、記録メディアに書き込まれているデータとの比較を自動で行う。
【００７４】
次に、図８に示すように、多機能出力装置１３０（制御装置１３２）は、ＵＩ装置１３３の画面に、記録メディアに書き込まれているデータを適宜表示させ（Ｓ７０７）、ユーザに、正しく書き込まれているか否かの確認を求める（Ｓ７０８）。
【００７５】
そして、ユーザが正しく書き込まれていることを確認したら（Ｓ７０８：Ｙｅｓ）、処理を終了する。
【００７６】
一方、ユーザが正しく書き込まれていないと通知してきた場合（Ｓ７０８：Ｎｏ）、多機能出力装置１３０（制御装置１３２）は、コピー元の記録メディアから読み込んだデータと、コピー先の記録メディアに書き込まれているデータとを比較し（Ｓ７０９）、正しく書き込まれているか否か（両方の電子データが一致するか否か）をチェックする（Ｓ７１０）。なお、書込み終了直後に、正しく書込みが行われたか否かのチェックを行っている場合は、当該時点で改めてチェックをする必要はなく、書込み直後の自動チェック結果を利用して、以下の処理を行えばよい。
【００７７】
チェックの結果、正しく書き込まれていない場合、すなわち、コピー元の記録メディアから読み込んだデータと、コピー先の記録メディアに書き込まれているデータとが一致しない場合は（Ｓ７１０：Ｎｏ）、コピー先の記録メディアに書き込まれているデータを消去し（Ｓ７１３）、その後、料金を返却して（Ｓ７１４）、処理を終了する。なお、記録メディアに書き込まれているデータを消去する前に、ユーザが記録メディアをメディアリーダ／ライタ１３４から抜き取った場合は、その旨をＵＩ装置１３３の画面に表示して、料金は返却しない。また、ステップＳ７１３においてデータを消去する前に、データ消去を行って料金の返却をするか否かについて、ユーザに問い合わせるようにしてもよい。
【００７８】
一方、チェックの結果、正しく書き込まれていた場合、すなわち、コピー元の記録メディアから読み込んだデータと、コピー先の記録メディアに書き込まれているデータとが一致した場合は（Ｓ７１０：Ｙｅｓ）、その旨をＵＩ装置１３３の画面に表示させて（Ｓ７１１）、再度、ユーザに確認を求める（Ｓ７１２）。当該確認の求めに対して、ユーザが問題ないことを確認した場合は（Ｓ７１２：Ｙｅｓ）、処理を終了し、ユーザが正しく書き込まれていないと再度通知してきた場合は（Ｓ７１２：Ｎｏ）、コピー先の記録メディアに書き込まれているデータを消去し（Ｓ７１３）、料金を返却して（Ｓ７１４）、処理を終了する。なお、記録メディアに書き込まれているデータを消去する前に、ユーザが記録メディアをメディアリーダ／ライタ１３４から抜き取った場合は、その旨をＵＩ装置１３３の画面に表示して、料金は返却しない。
【００７９】
以上のような動作を行うことにより、目的のデータが記録メディアに正しく書き込まれていなかった場合にまで、ユーザが課金されることを防止することが可能となる。更に、実際は正しく書き込まれているのに、ユーザが故意に正しく書き込まれていないと通知して、目的のデータが消去される前に記録メディアを抜き取ろうとした場合であっても、コピーサービスをただで利用されることを防止することができる。
【００８０】
なお、拡張サービスとして、記録メディアから読み込んだデータを別の記録メディアに書き込むのでなく、ＮＰＳサーバ１２０等のサーバに送信して保管すると共に、当該データに対応するＩＤ／パスワードを発行してユーザに通知し、ユーザが、ユーザＰＣ１１０等からＮＰＳサーバ１２０等のサーバにアクセスし、通知されたＩＤ／パスワードを入力することで、記録メディアから読み込んだデータをユーザＰＣ１１０等にダウンロードできるようにすることも考えられる。
【００８１】
以上説明したように、上述した実施形態によれば、ユーザは、原則として、書き込み内容を書き込み前に確認することができると共に、書き込み結果について自分が了承した場合についてのみ課金されるので、自己の望まないサービス結果に対して料金を支払うことを避けられる。また、サービス提供者側は、ユーザが望まないサービス結果（不良データ等）に対して料金を取るということがなくなり、ユーザからのクレームを防止することができるとともに、悪意のユーザが、ただでサービスを利用することを防止することができる。
【００８２】
[変形例]
上記実施形態では、ネットワーク・プリント・システム１００に本発明を適用した場合を用いて説明を行なったが、本発明は、可搬記録媒体に電子データの書き込むサービスを提供する電子データ書込みサービス提供装置であれば同様に適用することができるものである。この場合、電子データ書込みサービス提供装置は、ネットワークに接続されている形態に限定されず、他のネットワークに接続されることなく独立して電子データ書込みサービスを提供するようなものであってもよい。
【図面の簡単な説明】
【００８３】
【図１】本発明が適用されるネットワーク・プリント・システムの構成を示す図である。
【図２】多機能出力装置１３０の構成を示す図である。
【図３】ユーザが登録した文書ファイルのプリント出力を行った後に、プリント出力を行った元の文書ファイルを記録メディアに書き込む場合の処理の流れを示すフローチャート（その１）である。
【図４】ユーザが登録した文書ファイルのプリント出力を行った後に、プリント出力を行った元の文書ファイルを記録メディアに書き込む場合の処理の流れを示すフローチャート（その２）である。
【図５】多機能出力装置が備えるスキャナで読み取った画像データを記録メディアに書き込む場合の処理の流れを示すフローチャート（その１）である。
【図６】多機能出力装置が備えるスキャナで読み取った画像データを記録メディアに書き込む場合の処理の流れを示すフローチャート（その２）である。
【図７】２つの記録メディアの間で、一方の記録メディアから他方の記録メディアへデータ（写真データ等）をコピーする場合の処理の流れを示すフローチャート（その１）である。
【図８】２つの記録メディアの間で、一方の記録メディアから他方の記録メディアへデータ（写真データ等）をコピーする場合の処理の流れを示すフローチャート（その２）である。
【符号の説明】
【００８４】
１００    ネットワーク・プリント・システム
１１０    ユーザＰＣ
１２０    ＮＰＳサーバ
１３０    多機能出力装置
１３１    画像入出力装置
１３２    制御装置
１３３    ユーザインタフェース（ＵＩ）装置
１３４    メディアリーダ／ライタ
１３５    課金装置
１４０    インターネット
１５０    コンビニネット
【図１】
2008117348.tif 000003
【図２】
2008117348.tif 000004
【図３】
2008117348.tif 000005
【図４】
2008117348.tif 000006
【図５】
2008117348.tif 000007
【図６】
2008117348.tif 000008
【図７】
2008117348.tif 000009
【図８】
2008117348.tif 000010